(57)【要約】【課題】  トイレットペーパー収納体等に取り付ける為のホルダーを、本体であるウェットティッシュ用容器と一体に成型させ、ホルダーの原料、金型成型費、成型加工費、ホルダーの別途包装、紙箱等の外包装による製造コストを低減すること。【解決手段】容器の底フタとホルダーがつながれており、ヒンジ効果によって、ホルダーは１８０度以上折りたたみし、トイレットペーパー収納体等に差し込み、固定して、利便性よく使用することができる。【選択図】図１
0003104741.tif 000002
【実用新案登録請求の範囲】
【請求項１】
合成樹脂製、紙等製のウェットティッシュ等用容器で、一体に成型されたホルダーをトイレットペーパー収納体等に差し込み、固定して利便性よく使用することを特徴とする。
【請求項２】
ホルダーは容器の底フタとつながっており、ホルダーは１８０度以上折りたたみでき、種々の角度でトイレットペーパー収納体等に差し込み、固定できることができることを特徴とするウェットティッシュ等容器。
【請求項３】
ホルダーを使用しない場合、下方向に折りたたみ、容器フタの底部の凹みに収納することができ、包装、積載、輸送の際の弊害になることなく、且つ容器そのものの外観を損ねることの無いことを特徴とするウェットティッシュ等用容器。
【考案の詳細な説明】
【技術分野】
【０００１】  本考案は、トイレのトイレットペーパー収納体等に取り付けるホルダーが、一体に成型された、合成樹脂、紙等製のウェットティッシュ等用容器に関する。
【背景技術】
【０００２】トイレ内に、ウェットティッシュ等用容器を取り付けるホルダーを備えた容器には例えば、特許公開２００１−１４５５８３などが開示されている。
【考案が解決しようとする課題】
【０００３】  しかしながら、前者の明細書に開示されたものは、ホルダーが容器本体と別になっており、取り付けのためにホルダー部が不必要に大きくなっている。その為、ホルダー部の原料費や、成型金型費、成型加工費、ホルダーの別途包装、紙箱等による外包装も必要になり、製造コストが高くつく。
【０００４】  本考案は、上記の点に鑑みてなされたものであり、原料・金型・別途包装等による製造コストが大幅に低減する、ホルダー一体型ウェットティッシュ等用容器を提供することを目的とする。
【課題を解決する為の手段】
【０００５】上記の目的を達成する為、本考案に係るウェットティッシュ等用容器は、容器の底フタとホルダーがつながっており、ホルダーは１８０度以上折りたたむことができる。
【考案の効果】
【０００６】  ホルダーは１８０度以上折りたたみでき、種々の角度でトイレットペーパー収納体等の上に差し込み、ウェットティッシュ等用容器をトイレットペーパー収納体等に固定し、容器上部の蓋を開け、利便性よく使用することができる。
【０００７】ホルダーを使用しない際、容器の底フタに収納できるようにし、包装、積載、輸送の際の弊害になることなく、且つ容器の外観をも損ねることがないものである。
【考案を実施する為の最良の形態】
【０００８】図７及び図８。
【実施例】
【０００９】次に、本考案の実施例を図面に基づいて説明する。
図１は、本考案の第一の実施例を示す斜視図である。本実施例においては、ウェットティッシュ等用容器は合成樹脂材料で、容器の底フタＡとホルダーＣがつながっており、一体成型されている。ホルダーＣを９０度折り曲げた状態で、図７のように、トイレットペーパー収納体に差し込み、固定することができ、容器の上蓋Ｂを開けて、容器の上方向からウェットティッシュ等Ｄを取り出すことができる。
図５は第一の実施例時の容器右側断面図である。【００１０】図８は、本考案の第二の実施例を示すものである。ホルダーＣを１８０度水平にした状態で、トイレットペーパー収納体等に差し込み、固定することができ、上蓋Ｂを開けて容器の前方向からウェットティッシュ等Ｄを取り出すことができる。
図６は第二の実施例時の容器右側断面図である。【００１１】図２はホルダーＣが９０度折り曲がった状態であるが、ホルダーＣを使用しない際には、図３のように、容器の底フタＡの底部に収納できるようにし、包装、積載、輸送の際の弊害になることなく、且つ容器の外観をも損ねることがないものである。
図４はホルダー収納時の容器右側断面図である。【００１２】上述のように、本考案によれば、容器本体とホルダーが一体成型されているので、従来のホルダーが別に備えてあるウェットティッシュ用容器に比べ、ホルダー部の原料費、成型金型費、ホルダー部の別途包装、紙箱等による包装が必要なく、製造コストが大幅に低減される。
【図面の簡単な説明】
【図１】本考案の第一の実施例で、容器の上蓋Ｂを開けた状態の斜視図である。
【図２】本考案の第一の実施例の底面斜視図である。
【図３】本考案のホルダーを収納した場合の底面斜視図である。
【図４】ホルダーを本体に収納した状態の容器右側断面図である。
【図５】本考案の第一の実施例の容器右側断面図である。
【図６】本考案の第二の実施例の容器右側断面図である。
【図７】本考案の第一の実施例の容器右側側面図である。（なお、Ｅの点線部は断面図である。）
【図８】本考案の第二の実施例の容器左側側面図である。（なお、Ｅの点線部は断面図である。）
【符号の説明】
Ａ  ウェットティッシュ等容器の底フタ
Ｂ  容器の上蓋
Ｃ  ホルダー
Ｄ  ウェットティッシュ
Ｅ  トイレットペーパー収納体と壁面の隙間
Ｆ  壁面
【図１】
0003104741.tif 000003
【図２】
0003104741.tif 000004
【図３】
0003104741.tif 000005
【図４】
0003104741.tif 000006
【図５】
0003104741.tif 000007
【図６】
0003104741.tif 000008
【図７】
0003104741.tif 000009
【図８】
0003104741.tif 000010
【手続補正書】
【提出日】平成16年6月3日(2004.6.3)
【手続補正１】
【補正対象書類名】実用新案登録請求の範囲
【補正対象項目名】全文
【補正方法】変更
【補正の内容】
【実用新案登録請求の範囲】
【請求項１】
ウェットティッシュ用容器を室内の固定部取り付けるためのホルダーを、本体と一体に成型して備えている容器で、ポリプロピレン（ＰＰ）、ＰＳ，ＰＥ，ＡＢＳ、エラストマー、ＰＥＴ、ＰＶＣ、ポリカーボネート、ＭＭＡを用いたインジェクション成型及び、紙製、プラスチック製の袋状のウェットティッシュ用容器。
【請求項２】
ホルダーは容器の底フタと繋がっており、繋がっている箇所を軸にしてホルダー部は１８０度折りたたみでき、トイレ内の固定部に差し込み、固定できることを特徴とする請求項１記載のウェットティッシュ用容器。
【請求項３】
ホルダーを使用しない場合、下方向に折りたたみ、ホルダー自体を容器底フタの底部の凹みに収納することができる。この際、容器底フタの底部にある突起部がホルダーの両脇と勘合し、ホルダーが固定されるようになる、請求項１記載のウェットティッシュ用容器。
【手続補正２】
【補正対象書類名】明細書
【補正対象項目名】全文
【補正方法】変更
【補正の内容】
【考案の詳細な説明】
【技術分野】
【０００１】本考案は、室内の固定部に取り付けるホルダーが、一体に成型された、合成樹脂、紙製のウェットティッシュ用容器に関する。
【背景技術】
【０００２】トイレ内に、ウェットティッシュ用容器を取り付けるホルダーを備えた容器には例えば、特許公開２００１−１４５５８３などが開示されている。
【考案が解決しようとする課題】
【０００３】しかしながら、前者の明細書に開示されたものは、ホルダーが本体と別になっており、取り付けのためにホルダー部が不必要に大きくなっている。その為、ホルダー部の原料費や、成型金型費、成型加工費、ホルダーの別途包装、紙箱等による外包装も必要になり、製造コストが高くつく。
【０００４】本考案は、上記の点に鑑みてなされたものであり、原料・金型・別途包装等による製造コストが大幅に低減する、ホルダー一体型ウェットティッシュ用容器を提供するのを目的とする。
【課題を解決する為の手段】
【０００５】上記の目的を達成する為、本考案に係るウェットティッシュ等用容器は、容器の底フタとホルダーがつながっており、ホルダーは１８０度以上折りたたむことができる。
【考案の効果】
【０００６】ホルダー部は１８０度以上折りたたみでき、種々の角度で室内固定部に差し込み、ウェットティッシュ用容器をトイレットペーパー収納体に固定し、容器上部の蓋を開け、利便性よく使用することができる。
【０００７】ホルダーを使用しない際、容器の底フタに収納できるようにし、包装、積載、輸送の際の弊害になることなく、且つ容器の外観をも損ねることがないものである。
【考案を実施する為の最良の形態】
【０００８】図７及び図８。
【実施例】
【０００９】次に、本考案の実施例を図面に基づいて説明する。
図１は、本考案の第一の実施例を示す斜視図である。本実施例においては、ウェットティッシュ用容器は合成樹脂材料で、容器の底フタＡとホルダーＣがつながっており、一体成型されている。ホルダーＣを９０度折り曲げた状態で、図７のように、トイレットペーパー収納体に差し込み、固定することができ、容器の上蓋Ｂを開けて、容器の上方向からウェットティッシュＤを取り出すことができる。
図５は第一の実施例時の容器右側断面図である。【００１０】図８は、本考案の第二の実施例を示すものである。ホルダーＣを１８０度水平にした状態で、トイレットペーパー収納体等に差し込み、固定することができ、上蓋Ｂを開けて容器の前方向からウェットティッシュＤを取り出すことができる。
図６は第二の実施例時の容器右側断面図である。
また、ウェットティッシュ用容器を固定する固定部として、トイレットペーパー収納体と壁面の隙間Ｆの例を示したが、固定部はこれに限られることなく、例えばトイレ内の水タンク、あるいはトイレ以外の他の室内に固定部を設けても良いこととする。【００１１】図２はホルダーＣが９０度折り曲がった状態であるが、ホルダーＣを使用しない際には、図３のように、容器の底フタＡの底部に収納できるようにし、包装、積載、輸送の際の弊害になることなく、且つ容器の外観をも損ねることがないものである。
図４はホルダー収納時の容器右側断面図である。
なお、その際、図３の容器底フタ底部にある突起部Ｇがホルダーの両脇と勘合し、ホルダーＣを固定することができる。【００１２】上述のように、本考案によれば、容器本体とホルダーが一体成型されているので、従来のホルダーが別に備えてあるウェットティッシュ用容器に比べ、ホルダー部の原料費、成型金型費、ホルダー部の別途包装、紙箱等による包装が必要なく、製造コストが大幅に低減される。
【図面の簡単な説明】
【００１３】
【図１】本考案の第一の実施例で、容器の上蓋Ｂを開けた状態の斜視図である。
【図２】本考案の第一の実施例の底面斜視図である。
【図３】本考案のホルダーを収納した場合の底面斜視図である。
【図４】ホルダーを本体に収納した状態の容器右側断面図である。
【図５】本考案の第一の実施例の容器右側断面図である。
【図６】本考案の第二の実施例の容器右側断面図である。
【図７】本考案の第一の実施例の容器右側側面図である。（なお、Ｅの点線部は断面図である。）
【図８】本考案の第二の実施例の容器左側側面図である。（なお、Ｅの点線部は断面図である。）
【符号の説明】
【００１４】  Ａ  ウェットティッシュ等容器の底フタ
Ｂ  容器の上蓋
Ｃ  ホルダー
Ｄ  ウェットティッシュ
Ｅ  トイレットペーパー収納体と壁面の隙間
Ｆ  壁面
Ｇ  突起部
【手続補正３】
【補正対象書類名】図面
【補正対象項目名】図３
【補正方法】変更
【補正の内容】
【図３】
0003104741.tif 000011